【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
各々が複数の光電変換素子を有する複数の光電変換ユニットと、各々が前記光電変換ユニットの複数の光電変換素子で共有され前記複数の光電変換素子の信号を増幅する複数の増幅部と、複数の前記増幅部からの信号が出力される複数の共通出力線とを有する撮像装置の駆動方法であって、
前記光電変換ユニットの複数の光電変換素子のうち少なくとも１つの光電変換素子の信号を前記増幅部の入力ノードへ読み出し、前記増幅部を介して前記共通出力線へ信号を読み出す第１の動作により焦点検出用の信号を生じさせ、
前記第１の動作により読み出された信号が前記増幅部において保持された状態で同じ光電変換ユニットに含まれる、少なくとも前記第１の動作で読み出しを行なわれていない光電変換素子の信号を前記増幅部の入力ノードへ読み出して加算し、前記増幅部を介して前記共通出力線へ信号を読み出す第２の動作により画像形成用の信号を生じさせることを特徴とする撮像装置の駆動方法。
【請求項２】
各々が複数の光電変換素子を有する複数の光電変換ユニットと、各々が前記光電変換ユニットの複数の光電変換素子で共有され前記複数の光電変換素子の信号を増幅する複数の増幅部と、複数の前記増幅部からの信号が出力される複数の共通出力線とを有し、
前記複数の光電変換素子は、各々が、撮影レンズの瞳の異なる領域からの光を受光する撮像装置の駆動方法であって、
前記光電変換ユニットの複数の光電変換素子のうち少なくとも１つの光電変換素子の信号を前記増幅部の入力ノードへ読み出し、前記増幅部を介して前記共通出力線へ信号を読み出す第１の動作と、
前記第１の動作により読み出された信号が前記増幅部において保持された状態で同じ光電変換ユニットに含まれる、少なくとも前記第１の動作で読み出しを行なわれていない光電変換素子の信号を前記増幅部の入力ノードへ読み出して加算し、前記増幅部を介して前記共通出力線へ信号を読み出す第２の動作とを有することを特徴とする撮像装置の駆動方法。
【請求項３】
各々が複数の光電変換素子を有する複数の光電変換ユニットと、各々が前記光電変換ユニットの複数の光電変換素子で共有され前記複数の光電変換素子の信号を増幅する複数の増幅部と、複数の前記増幅部からの信号が出力される複数の共通出力線とを有し、
前記複数の光電変換ユニットの各々に対応して配された複数のレンズを有するレンズアレイを有し、前記レンズアレイの各レンズは同一光電変換ユニットの複数の光電変換素子に集光する撮像装置の駆動方法であって、
前記光電変換ユニットの複数の光電変換素子のうち少なくとも１つの光電変換素子の信号を前記増幅部の入力ノードへ読み出し、前記増幅部を介して前記共通出力線へ信号を読み出す第１の動作と、
前記第１の動作により読み出された信号が前記増幅部において保持された状態で同じ光電変換ユニットに含まれる、少なくとも前記第１の動作で読み出しを行なわれていない光電変換素子の信号を前記増幅部の入力ノードへ読み出して加算し、前記増幅部を介して前記共通出力線へ信号を読み出す第２の動作とを有することを特徴とする撮像装置の駆動方法。
【請求項４】
前記第１の動作と前記第２の動作の間に前記増幅部の入力ノードをリセットしないことを特徴とする請求項１〜３のいずれか１項に記載の撮像装置の駆動方法。
【請求項５】
前記複数の光電変換ユニットの各々に対応して配された複数のレンズを有するレンズアレイを有し、前記レンズアレイの各レンズは同一光電変換ユニットの複数の光電変換素子に集光することを特徴とする請求項１または２のいずれかに記載の撮像装置の駆動方法。
【請求項６】
各々が異なる光電変換ユニットに含まれる複数の光電変換素子で、１つの前記増幅部を共有することを特徴とする請求項１〜５のいずれかに記載の撮像装置の駆動方法。
【請求項７】
前記第１の動作時に、各々が、前記増幅部を共有する第１及び第２の光電変換ユニットのそれぞれに含まれる少なくとも２つの光電変換素子の信号を前記共有された増幅部で加算し、
前記第２の動作時に前記第１の光電変換ユニットに含まれる複数の光電変換素子の信号と前記第２の光電変換ユニットに含まれる複数の光電変換素子の信号とを、前記供給された増幅部で加算することを特徴とする請求項６に記載の撮像装置の駆動方法。
【請求項８】
複数の前記増幅部の入力ノードどうしを電気的に接続するスイッチを有することを特徴とする請求項１〜７のいずれか１項に記載の撮像装置の駆動方法。
【請求項９】
前記第１の動作時に前記スイッチを導通させることで、複数の前記増幅部の入力ノードを電気的に接続し、前記接続された入力ノードの信号を加算し、
前記第２の動作時に前記スイッチを導通させることで、複数の前記増幅部の入力ノードを電気的に接続し、前記接続された入力ノードの信号を加算することを特徴とする請求項８に記載の撮像装置の駆動方法。
【請求項１０】
複数の光電変換素子の各々の信号を対応する前記増幅部の入力ノードに転送する複数の転送ゲートを有し、
前記第１の動作時に、前記転送ゲートが導通するパルスを供給することで、前記光電変換素子の信号を対応する前記増幅部の入力ノードへ転送し、
前記第２の動作時に、前記第１動作時に信号が転送される光電変換素子に対応する転送ゲートが導通状態となる期間の少なくとも一部の期間において、前記第２動作時に信号が転送される光電変換素子に対応する転送ゲートの両者が導通状態となることを特徴とする請求項１〜９のいずれか１項に記載の撮像装置の駆動方法。
【請求項１１】
前記光電変換ユニットに含まれる複数の光電変換素子は平面視において異なる位置に配されることを特徴とする請求項１〜１０のいずれか１項に記載の撮像装置の駆動方法。
【請求項１２】
前記第１動作の前に前記増幅部の入力ノードの電位をリセットし、前記リセット動作の後に前記増幅部を介して前記共通出力線へ出力されるリセット信号を用いて、前記第１の動作及び、前記第２の動作で得られる信号に対し、差分処理を行なうことを特徴とする請求項１〜１１のいずれか１項に記載の撮像装置の駆動方法。
【請求項１３】
各々が複数の光電変換素子を有する複数の光電変換ユニットと、各々が前記光電変換ユニットの複数の光電変換素子で共有され前記複数の光電変換素子の信号を増幅する複数の増幅部と、複数の前記増幅部の信号が出力される複数の共通出力線とを有する撮像装置であって、
前記光電変換ユニットの複数の光電変換素子のうち少なくとも１つの光電変換素子の信号を前記増幅部の入力ノードへ読み出し、前記増幅部を介して前記共通出力線へ信号を読み出す第１の動作により焦点検出用の信号を生じさせ、
前記第１の動作により読み出された信号が前記増幅部において保持された状態で同じ光電変換ユニットに含まれる少なくとも前記第１の動作で読み出されなかった光電変換素子の信号を前記増幅部の入力ノードへ読み出して加算し、前記増幅部を介して前記共通出力線へ信号を読み出す第２の動作により画像形成用の信号を生じさせることを特徴とする撮像装置。
【請求項１４】
各々が複数の光電変換素子を有する複数の光電変換ユニットと、各々が前記光電変換ユニットの複数の光電変換素子で共有され前記複数の光電変換素子の信号を増幅する複数の増幅部と、複数の前記増幅部の信号が出力される複数の共通出力線とを有し、
前記複数の光電変換素子は、各々が、撮影レンズの瞳の異なる領域からの光を受光する撮像装置であって、
前記光電変換ユニットの複数の光電変換素子のうち少なくとも１つの光電変換素子の信号を前記増幅部の入力ノードへ読み出し、前記増幅部を介して前記共通出力線へ信号を読み出す第１の動作と、
前記第１の動作により読み出された信号が前記増幅部において保持された状態で同じ光電変換ユニットに含まれる少なくとも前記第１の動作で読み出されなかった光電変換素子の信号を前記増幅部の入力ノードへ読み出して加算し、前記増幅部を介して前記共通出力線へ信号を読み出す第２の動作と行なうことを特徴とする撮像装置。
【請求項１５】
各々が複数の光電変換素子を有する複数の光電変換ユニットと、各々が前記光電変換ユニットの複数の光電変換素子で共有され前記複数の光電変換素子の信号を増幅する複数の増幅部と、複数の前記増幅部の信号が出力される複数の共通出力線とを有し、
前記複数の光電変換ユニットの各々に対応して配された複数のレンズを有するレンズアレイを有し、前記レンズアレイの各レンズは同一光電変換ユニットの複数の光電変換素子に集光する撮像装置であって、
前記光電変換ユニットの複数の光電変換素子のうち少なくとも１つの光電変換素子の信号を前記増幅部の入力ノードへ読み出し、前記増幅部を介して前記共通出力線へ信号を読み出す第１の動作と、
前記第１の動作により読み出された信号が前記増幅部において保持された状態で同じ光電変換ユニットに含まれる少なくとも前記第１の動作で読み出されなかった光電変換素子の信号を前記増幅部の入力ノードへ読み出して加算し、前記増幅部を介して前記共通出力線へ信号を読み出す第２の動作とを有することを特徴とする撮像装置。